(57)【特許請求の範囲】
【請求項１】
消耗品の納入時期からの期間があらかじめ定められた保証期間と、納入された前記消耗品の使用開始時期からの期間があらかじめ前記保証期間よりも短く定められた耐用期間と、のうちいずれか早いほうが終了する定期交換時期に前記消耗品の定期交換がなされ、又は、突発的に前記消耗品の交換が必要となる突発交換時期に前記消耗品の突発交換がなされる、消耗品の在庫管理システムであって、
未使用消耗品の予備在庫を保管する、保管部と、
少なくとも一個の前記消耗品をそれぞれ使用する、複数の使用部と、
未使用消耗品を前記保管部に納入する、納入部と、
未使用消耗品の納入を前記納入部に発注する、発注部と、
前記消耗品の突発交換を検知する、検知部と、
前記使用部又は前記保管部におけるそれぞれの前記消耗品の、前記保証期間、前記耐用期間、前記納入時期、前記使用開始時期、及び、納入に要する期間である納入期間、を記憶した、記憶部と、
前記記憶部で記憶された、前記消耗品の、前記保証期間、前記耐用期間、前記納入時期、及び、前記使用開始時期に基づいて、前記消耗品の前記定期交換時期を算出する、算出部と、を備え、
前記発注部は、前記算出部で算出した前記定期交換時期よりも前記納入期間だけ前の時期に、定期交換が必要な数の未使用消耗品の納入を前記納入部に発注し、前記検知部で前記消耗品の突発交換を検知した時に、突発交換された数の未使用消耗品の納入を前記納入部に発注する、
ことを特徴とする、消耗品の在庫管理システム。
【請求項２】
前記使用部は、前記消耗品を定期交換又は突発交換する際に、前記保管部で保管している未使用消耗品が複数個ある場合は、前記保管部で保管している前記未使用消耗品を納入された順に使用する、
ことを特徴とする、請求項１に記載の消耗品の在庫管理システム。
【請求項３】
未使用消耗品の予備在庫を保管する保管部と、少なくとも一個の消耗品をそれぞれ使用する複数の使用部と、未使用消耗品を前記保管部に納入する納入部と、前記消耗品の突発交換を検知する検知部と、前記使用部又は前記保管部におけるそれぞれの前記消耗品の、前記保証期間、前記耐用期間、前記納入時期、前記使用開始時期、及び、納入に要する期間である納入期間、を記憶した記憶部と、前記記憶部で記憶された、前記消耗品の、前記保証期間、前記耐用期間、前記納入時期、及び、前記使用開始時期に基づいて、前記消耗品の前記定期交換時期を算出する算出部と、を備える在庫管理システムにおいて、前記消耗品の納入時期からの期間があらかじめ定められた保証期間と、納入された前記消耗品の使用開始時期からの期間があらかじめ前記保証期間よりも短く定められた耐用期間と、のうちいずれか早いほうが終了する定期交換時期に前記消耗品の定期交換を行い、又は、突発的に前記消耗品の交換が必要となる突発交換時期に前記消耗品の突発交換を行う、消耗品の在庫管理方法であって、
前記算出部で算出した前記定期交換時期よりも前記納入期間だけ前の時期に、定期交換が必要な数の未使用消耗品の納入を前記納入部に発注し、前記検知部で前記消耗品の突発交換を検知した時に、突発交換された数の未使用消耗品の納入を前記納入部に発注する、
ことを特徴とする、消耗品の在庫管理方法。
【請求項４】
前記使用部は、前記消耗品を定期交換又は突発交換する際に、前記保管部で保管している未使用消耗品が複数個ある場合は、前記保管部で保管している前記未使用消耗品を納入された順に使用する、
ことを特徴とする、請求項３に記載の消耗品の在庫管理方法。
【発明の詳細な説明】
【技術分野】
【０００１】
本発明は、消耗品の在庫管理システムに関し、具体的には、消耗品の在庫管理における効率を向上させる技術に関する。
【背景技術】
【０００２】
従来、使用期限が定められた消耗品の在庫管理を行う場合において、消耗品の状態の推移を推定し、その推移に基づくとともに、使用者への消耗品の配達に要する期間を考慮して、消耗品が消尽する時又は使用不可となる時までに、新たな消耗品が使用者に納入されるように、新たな消耗品の発注時を特定する技術が知られており、これについて開示する文献も存在する（例えば、特許文献１参照）。
【先行技術文献】
【特許文献】
【０００３】
【特許文献１】特開２００５−１７０５９９号公報
【発明の概要】
【発明が解決しようとする課題】
【０００４】
前記特許文献に開示されるような従来の消耗品の在庫管理方法によれば、突発的に消耗品の交換が必要となる事態が想定されていない。このため、定期交換用の消耗品の在庫とは別に、突発交換用の消耗品の在庫を管理する必要がある。即ち、定期交換用の消耗品の在庫は滞留しないように定期交換の時期に合わせて納入し、突発交換用の消耗品の在庫は突発交換の頻度を考慮して、常に所定数だけ滞留するように納入するのである。
【０００５】
上記の如く、定期交換用の消耗品の在庫とは別に、突発交換用の消耗品の在庫を管理する場合、突発交換用の消耗品の在庫が使用されずに、使用期限切れとなって廃棄される場合があった。つまり、消耗品の納入コスト増の原因となっていたのである。
【０００６】
本発明は、消耗品の在庫管理における効率を向上させることにより、消耗品の納入コストを低減させることの可能な、消耗品の在庫管理システムを提案するものである。
【課題を解決するための手段】
【０００７】
本発明の解決しようとする課題は以上の如くであり、次にこの課題を解決するための手段を説明する。
【０００８】
即ち、請求項１においては、消耗品の納入時期からの期間があらかじめ定められた保証期間と、納入された前記消耗品の使用開始時期からの期間があらかじめ前記保証期間よりも短く定められた耐用期間と、のうちいずれか早いほうが終了する定期交換時期に前記消耗品の定期交換がなされ、又は、突発的に前記消耗品の交換が必要となる突発交換時期に前記消耗品の突発交換がなされる、消耗品の在庫管理システムであって、未使用消耗品の予備在庫を保管する、保管部と、少なくとも一個の前記消耗品をそれぞれ使用する、複数の使用部と、未使用消耗品を前記保管部に納入する、納入部と、未使用消耗品の納入を前記納入部に発注する、発注部と、前記消耗品の突発交換を検知する、検知部と、前記使用部又は前記保管部におけるそれぞれの前記消耗品の、前記保証期間、前記耐用期間、前記納入時期、前記使用開始時期、及び、納入に要する期間である納入期間、を記憶した、記憶部と、前記記憶部で記憶された、前記消耗品の、前記保証期間、前記耐用期間、前記納入時期、及び、前記使用開始時期に基づいて、前記消耗品の前記定期交換時期を算出する、算出部と、を備え、前記発注部は、前記算出部で算出した前記定期交換時期よりも前記納入期間だけ前の時期に、定期交換が必要な数の未使用消耗品の納入を前記納入部に発注し、前記検知部で前記消耗品の突発交換を検知した時に、突発交換された数の未使用消耗品の納入を前記納入部に発注するものである。
【０００９】
請求項２においては、前記使用部は、前記消耗品を定期交換又は突発交換する際に、前記保管部で保管している未使用消耗品が複数個ある場合は、前記保管部で保管している前記未使用消耗品を納入された順に使用するものである。
【００１０】
請求項３においては、未使用消耗品の予備在庫を保管する保管部と、少なくとも一個の消耗品をそれぞれ使用する複数の使用部と、未使用消耗品を前記保管部に納入する納入部と、前記消耗品の突発交換を検知する検知部と、前記使用部又は前記保管部におけるそれぞれの前記消耗品の、前記保証期間、前記耐用期間、前記納入時期、前記使用開始時期、及び、納入に要する期間である納入期間、を記憶した記憶部と、前記記憶部で記憶された、前記消耗品の、前記保証期間、前記耐用期間、前記納入時期、及び、前記使用開始時期に基づいて、前記消耗品の前記定期交換時期を算出する算出部と、を備える在庫管理システムにおいて、前記消耗品の納入時期からの期間があらかじめ定められた保証期間と、納入された前記消耗品の使用開始時期からの期間があらかじめ前記保証期間よりも短く定められた耐用期間と、のうちいずれか早いほうが終了する定期交換時期に前記消耗品の定期交換を行い、又は、突発的に前記消耗品の交換が必要となる突発交換時期に前記消耗品の突発交換を行う、消耗品の在庫管理方法であって、前記算出部で算出した前記定期交換時期よりも前記納入期間だけ前の時期に、定期交換が必要な数の未使用消耗品の納入を前記納入部に発注し、前記検知部で前記消耗品の突発交換を検知した時に、突発交換された数の未使用消耗品の納入を前記納入部に発注するものである。
【００１１】
請求項４においては、前記使用部は、前記消耗品を定期交換又は突発交換する際に、前記保管部で保管している未使用消耗品が複数個ある場合は、前記保管部で保管している前記未使用消耗品を納入された順に使用するものである。
【発明の効果】
【００１２】
本発明の効果として、以下に示すような効果を奏する。
【００１３】
本発明においては、消耗品の在庫管理における効率を向上させることにより、消耗品の納入コストを低減させることができる。
【図面の簡単な説明】
【００１４】
【図１】一実施形態に係る消耗品の在庫管理システムを示す概略図。
【図２】在庫管理システムにおける発注時のフローを示す図。
【発明を実施するための形態】
【００１５】
次に、発明の実施の形態を説明する。
なお、本発明の技術的範囲は以下の実施例に限定されるものではなく、本明細書及び図面に記載した事項から明らかになる本発明が真に意図する技術的思想の範囲全体に、広く及ぶものである。
【００１６】
［在庫管理システム１００］
まず始めに、本発明の第一実施形態に係る、消耗品の在庫管理システム１００の概略について、図１を用いて説明する。
本実施形態に係る在庫管理システム１００で在庫管理される消耗品は、例えばＯ2センサのように保証期間と耐用期間とがあらかじめ定められているものである。本実施形態においては、未使用の消耗品を「未使用消耗品Ｓｎ」、使用開始後の消耗品を「消耗品Ｓｕ」として表記し、これらを総称する場合は「消耗品Ｓ」として表記する。
【００１７】
保証期間とは、未使用消耗品Ｓｎが納入部２１から保管部１１に納入されてからの期間であり、保管状態（未使用状態）でその性能が保証される期間である。また、耐用期間とは保証期間よりも短く定められる、使用部１２において消耗品Ｓｕの使用が開始されてからの期間であり、使用状態で通常の機能を発揮できる期間である。
【００１８】
消耗品Ｓｕは、使用部１２において、保証期間と耐用期間とのうちいずれか早いほうが終了する時期を「定期交換時期」として交換がなされる。本実施形態においては、定期交換時期になされる交換を「定期交換」と定義する。
【００１９】
例えば、消耗品Ｓｕの保証期間を８ヶ月、耐用期間を６ヶ月とした場合について説明する。仮に、未使用消耗品Ｓｎの使用開始時期が納入時期から２ヶ月以内であった場合、保証期間と耐用期間とのうち、耐用期間のほうが早く終了するため、定期交換時期は耐用期間の終了時である、使用開始から６ヶ月後となる。一方、未使用消耗品Ｓｎの使用開始時期が、納入時期よりも２ヶ月以上後となった場合、保証期間と耐用期間とのうち、保証期間のほうが早く終了するため、定期交換時期は保証期間の終了時である、納入から８ヶ月後となる。
【００２０】
また、消耗品Ｓｕは、動作不良等、何らかの理由により、突発的に交換が必要となる場合がある。この時期においても、「突発交換時期」として消耗品Ｓｕの交換がなされる。本実施形態においては、突発交換時期になされる交換を「突発交換」と定義する。
【００２１】
本実施形態に係る在庫管理システム１００は、図１に示す如く、保管部１１と、複数の使用部１２・１２・・・と、納入部２１と、発注部３２と、検知部３１と、記憶部１５と、を備え、それぞれは情報を含んだ電気信号を伝達可能に、フィールドネットワーク通信機器等により有線又は無線で通信可能に構成されている。
【００２２】
本実施形態において、消耗品Ｓｕは工場１０の内部に配置される使用部１２・１２・・・のそれぞれで使用される。具体的には、工場１０は自動車の生産工場であり、使用部１２・１２・・・はＯ2センサを用いて自動車を生産する複数の生産ラインである。それぞれの使用部１２は、少なくとも一個の消耗品Ｓｕを使用する。図１においては、２個の消耗品Ｓｕを使用する使用部１２を使用部１２ａと表記し、１個の消耗品Ｓｕを使用する使用部１２を使用部１２ｂと表記している。
【００２３】
本実施形態においては、保管部１１及び後述する検知部３１、発注部３２、記憶部１５についても、工場１０の内部に配置されている。
保管部１１は、未使用消耗品Ｓｎの予備在庫を保管するものであり、具体的にはＯ2センサを配置するラックである。本実施形態において、保管部１１には１個の未使用消耗品Ｓｎを保管しているが、複数個の未使用消耗品Ｓｎを保管する構成としても差し支えない。保管部１１に保管される未使用消耗品Ｓｎの個数は、突発交換が発生した際に必要となる消耗品Ｓの数と、消耗品Ｓの突発交換が発生する頻度と、未使用消耗品Ｓｎを発注してから納入するまでの期間と、から算出される。
【００２４】
そして、それぞれの使用部１２・１２・・・は、消耗品Ｓｕを定期交換又は突発交換する際に、保管部１１で保管している未使用消耗品Ｓｎが複数個ある場合は、保管部１１で保管している未使用消耗品Ｓｎを納入された順に使用する。具体的には、予備在庫として保管部１１に保管されている未使用消耗品Ｓｎのうち納入時期が最も早いものが、交換が必要となった消耗品Ｓｕを使用している使用部１２に図示しない搬送手段により搬送されて、古い消耗品Ｓｕに替えて使用部１２で使用されるのである。
【００２５】
納入部２１は、未使用消耗品Ｓｎを保管部１１に納入するものであり、工場１０とは別の場所に配置される。納入部２１は、具体的にはＯ2センサの製造工場及びその輸送装置などである。納入部２１は保管部１１から離れた場所に配置されるため、未使用消耗品Ｓｎを納入部２１から保管部１１への納入する際は、輸送等の期間が必要となる。本実施形態においては、納入部２１が未使用消耗品Ｓｎの発注を受けてから、未使用消耗品Ｓｎが保管部１１に納入されるまでの期間を「納入期間」と表記する。
【００２６】
発注部３２は、納入部２１から保管部１１への未使用消耗品Ｓｎの納入を納入部２１に発注する。具体的には発注部３２から納入部２１に、未使用消耗品Ｓｎの個数や種類を情報として含む発注信号を送信し、納入部２１は受信した発注信号に基づいて保管部１１に未使用消耗品Ｓｎを納入するのである。
【００２７】
記憶部１５は、使用部１２・１２・・・又は保管部１１におけるそれぞれの消耗品Ｓの、保証期間、耐用期間、納入時期、使用開始時期、定期交換時期、及び、納入期間、を記憶している。具体的には、記憶部１５は、汎用型の電子計算機で構成された制御装置１７の内部に配置され、制御装置１７におけるＲＡＭやＲＯＭ等から構成される。記憶部１５には、その他演算処理を実行するためのプログラム等も記憶される。そして、前記の如く、在庫管理システム１００における各部は、記憶部１５を内蔵する制御装置１７と、フィールドネットワーク通信機器等によりそれぞれ電気的に接続され、通信可能に構成されているのである。
【００２８】
検知部３１は、消耗品Ｓｕの突発交換を検知するものであり、本実施形態においては使用部１２・１２・・・のそれぞれを監視するセンサが用いられる。具体的には、検知部３１であるセンサが、記憶部１５で記憶されている定期交換時期以外の時期に消耗品Ｓｕの交換があったことを検知すると、突発交換が行われたと判断し、発注部３２に検知信号を送信するのである。なお、本実施形態において、検知部３１にセンサを用いる構成としたが、例えば突発交換を行った作業者が自ら入力装置に入力することにより、検知部３１が突発交換を検知し、発注部３２に検知信号を送信する構成とすることも可能である。
【００２９】
［消耗品Ｓの発注方法］
次に、在庫管理システム１００における消耗品Ｓの発注方法について、図２を用いて説明する。
在庫管理システム１００において消耗品Ｓを発注する際は、まず、ステップＳ０１に示す如く、それぞれの消耗品Ｓｕを使用する使用部１２において、消耗品Ｓｕの定期交換時期よりも納入期間だけ前のタイミングとなったか否かを判断する。
【００３０】
具体的には、制御装置１７において、記憶部１５に記憶されている、それぞれの消耗品Ｓｕにおける保証期間、耐用期間、納入時期、及び、使用開始時期から定期交換時期を算出し、現在がこの定期交換時期よりも納入期間だけ前の段階にあるかどうかを判断するのである。
【００３１】
ステップＳ０１で、定期交換時期よりも納入期間だけ前の時期に至っていない、すなわち定期交換時期よりも納入期間だけ前の時期以前の期間であると判断した場合は、ステップＳ０２に進み、消耗品Ｓｕが突発交換されたか否かを判断する。具体的には前記の如く、検知部３１であるセンサによって検知した消耗品Ｓｕの交換が、記憶部１５で記憶されている定期交換時期以外になされたか否かを判断するのである。
【００３２】
ステップＳ０２で、消耗品Ｓｕが突発交換されていないと判断した場合は、次の消耗品Ｓｕについて、ステップＳ０１から同様の処理を繰り返す。
【００３３】
ステップＳ０１で、定期交換時期よりも納入期間だけ前の時期に至ったと判断した場合は、ステップＳ０３に進む。ステップＳ０３では、発注部３２が、納入部２１から保管部１１への未使用消耗品Ｓｎの納入を納入部２１に発注する。具体的には発注部３２から納入部２１に、未使用消耗品Ｓｎの個数や種類を情報として含む発注信号を送信するのである。この場合の発注数は、定期交換が必要な消耗品Ｓｕの数となる。
【００３４】
また、ステップＳ０２で、消耗品Ｓｕが突発交換されたと判断した場合も、ステップＳ０３に進む。ステップＳ０３では、発注部３２が、納入部２１から保管部１１への未使用消耗品Ｓｎの納入を納入部２１に発注する。具体的には検知部３１から受信した検知信号に基づいて、未使用消耗品Ｓｎの個数や種類を情報として含む発注信号を送信するのである。この場合の発注数は、突発交換された消耗品Ｓｕの数となる。
【００３５】
その後、ステップＳ０４に進む。ステップＳ０４では、納入部２１が、受信した発注信号に基づいて未使用消耗品Ｓｎを保管部１１に納入し、次の消耗品Ｓｕについて、ステップＳ０１から同様の処理を繰り返す。
【００３６】
上記の如く、本実施形態に係る在庫管理システム１００においては、発注部３２は、記憶部１５で記憶している定期交換時期よりも納入期間だけ前の時期に、定期交換が必要な数の未使用消耗品Ｓｎの納入を納入部２１に発注する。また、検知部３１で消耗品Ｓｕの突発交換を検知した時には、定期交換時期よりも納入期間だけ前の時期よりも前の期間であっても、突発交換が必要な数の未使用消耗品Ｓｎの納入を納入部２１に発注するのである。
【００３７】
本実施形態に係る消耗品の在庫管理システム１００によれば、定期交換用の未使用消耗品Ｓｎの在庫と、突発交換用の未使用消耗品Ｓｎの在庫とを一括して管理している。そして、定期交換時よりも納入期間だけ前のタイミングで未使用消耗品Ｓｎを発注するとともに、消耗品Ｓｕの突発交換があった際にも、未使用消耗品Ｓｎを発注する構成としている。
【００３８】
上記の如く構成することにより、未使用消耗品Ｓｎの在庫が使用されずに、使用期限切れとなって廃棄されることがなくなる。換言すれば、保証期間と耐用期間との差に相当する期間を、未使用消耗品Ｓｎとして在庫管理する期間として活用できるのである。即ち、消耗品Ｓの在庫管理における効率を向上させることができるため、消耗品Ｓの納入コストを低減させることが可能となるのである。
【００３９】
また本実施形態において、それぞれの使用部１２・１２・・・は、消耗品Ｓｕを定期交換又は突発交換した際に保管部１１で保管している未使用消耗品Ｓｎが複数個ある場合は、未使用消耗品Ｓｎの納入された順に使用する構成としている。これにより、それぞれの未使用消耗品Ｓｎが保管部１１で保管される期間を短くすることができ、消耗品Ｓの在庫管理における効率をより向上させることが可能となる。
【符号の説明】
【００４０】
１１  保管部
１２  使用部
１５  記憶部
２１  納入部
３１  検知部
３２  発注部
Ｓ  消耗品
１００  在庫管理システム
【図１】
0005741367.tif 000002
【図２】
0005741367.tif 000003